(57)【要約】【課題】  直径が異なる芯棒を偏った状態で芯棒挿通穴に挿通して使用した場合に外れる。固定が外れた場合には、壁紙にシワが生じる場合がある。このような背景から、直径が異なる芯棒を挿通でき、芯棒に固定できる側板を用いて、直径の異なる複数の芯棒を使用できる壁紙保持用リールが要望されている。【解決手段】壁紙原反に挿通する芯棒と、芯棒を挿通するための芯棒挿通穴が設けられた側板と固定用ネジで構成され、芯棒を挿通させた壁紙原反の左右端を挟み込んだ側板を、固定用ネジを締め込むことにより芯棒に固定し、壁紙糊付機に装着される壁紙保持用リールであって、  芯棒挿通穴に挿通された芯棒を芯棒挿通穴に２点で当接させることにより、直径の異なる芯棒を使用することを特徴とする。【選択図】図１
2019122938.tif 000002
【特許請求の範囲】
【請求項１】
壁紙原反に挿通する芯棒と、前記芯棒を挿通するための芯棒挿通穴が設けられた側板と固定用ネジで構成され、
前記芯棒を挿通させた壁紙原反の左右端を挟み込んだ前記側板を、前記固定用ネジを締め込むことにより前記芯棒に固定し、壁紙糊付機に装着される壁紙保持用リールであって、
前記芯棒挿通穴に挿通された前記芯棒を前記芯棒挿通穴に２点で当接させることにより、直径の異なる前記芯棒に前記側板を固定してを使用することを特徴とする壁紙保持用リール。
【請求項２】
壁紙原反に挿通する芯棒と、前記芯棒を挿通するための芯棒挿通穴が設けられた側板と固定用ネジで構成され、
前記芯棒を挿通させた壁紙原反の左右端を挟み込んだ前記側板を、前記固定用ネジを締め込むことにより前記芯棒に固定し、壁紙糊付機に装着される壁紙保持用リールであって、
前記芯棒挿通穴の内側に突出するアームを設け、
前記芯棒挿通穴に挿通された前記芯棒を前記アームに当接させることにより、直径の異なる前記芯棒に前記側板を固定して使用することを特徴とする壁紙保持用リール。
【発明の詳細な説明】
【技術分野】
【０００１】
本発明は、部屋の天井や壁面に貼る壁紙に糊を塗布する壁紙糊付機で使用する壁紙保持用リールである。詳しくは、直径が異なる芯棒を挿通して固定できる側板を有し、直径の異なる芯棒を使用できる壁紙保持用リールである。
【背景技術】
【０００２】
図６と図７に、壁紙糊付機で使用される従来技術の壁紙保持用リールを説明する。図７は芯棒を挿通する穴のところを拡大した図である。
壁紙の原反の巻芯に挿通する芯棒（４１）と、側板（５１）で構成され、側板（５１）は樹脂を射出成型して作ったもので、対向する２つの円弧（５２）、および対向する２つの平行な線（５３）で囲まれた形状を有し、中心部に芯棒（４１）を挿通する芯棒挿通穴（５４）を有する環状厚肉部（５５）が設けられ、環状厚肉部（５５）より周縁に向かって放射状に補強用の線状突出部（５６）が形成されている。
【０００３】
環状厚肉部（５５）には、固定用ネジ（５７）をねじ込んで側板（５１）を芯棒（４１）に固定するための固定用ネジ穴（５８）が形成されており、固定用ネジ（５７）の挿入を容易にするために、固定用ネジ穴（５８）の近傍の線状突出部（５６）は除去されている。
【０００４】
壁紙の原反の巻芯に芯棒（４１）を挿通し、同じ形状の側板（５１）を原反の左右両側から挟み込んで、固定用ネジ（５８）を締め込んで芯棒（４１）に固定する。
そして、壁紙保持用リールは、壁紙糊付機（図示せず）の原反芯棒受け（図示せず）に装着される。
そして、原反から引き出された壁紙は、送り出しローラー（図示せず）と検尺ローラー（図示せず）により搬送され、裏面に糊が塗布されて正面側に排出される。
【０００５】
壁紙が壁紙糊付機（図示せず）の内部へ搬送されている状態では、原反は搬送される壁紙に引っ張られて回転し、原反が回転することにより側板（５１）も回転し、側板（５１）が回転することにより芯棒（４１）も回転する。
芯棒（４１）と原反芯棒受け（図示せず）との間では滑りが生じることにより、原反と側板（５１）と芯棒（４１）は、同じ方向に同じ周期で回転する。
しかし、原反が変形して断面形状が楕円形になって重みの偏りがある場合には、
偏っている部分で、側板（５１）よりも原反が先に回転するが、壁紙の糊付けには支障はない。
【先行技術文献】
【特許文献】
【０００６】
【特許文献１】実開平６−６０４６６号
【発明の開示】
【発明が解決しようとする課題】
【０００７】
芯棒（４１）には、直径が２２ｍｍのものや１８ｍｍのものや１６ｍｍのものや、直径が１２ｍｍの芯棒（４１ａ）があり、直径が２２ｍｍの芯棒（４１）には２２ｍｍ用の側板（５１）を使用し、直径が１２ｍｍの芯棒（４１ａ）には１２ｍｍ用の側板（図示せず）を使用することを取り扱い説明されているが、直径が２２ｍｍの芯棒（４１）に挿通する側板（５１）を、直径が１２ｍｍの芯棒（４１ａ）に挿通させて固定することも可能であり、
２２ｍｍ用の側板（５１）を用いて直径が１２ｍｍの芯棒（４１ａ）が使用された場合、
図７の２点鎖線に示すように、固定用ネジ（５８）の先端と直径が１２ｍｍの芯棒（４１ａ）とが点ｒで当接し、芯棒挿通穴（５４）の内側と直径が１２ｍｍの芯棒（４１ａ）とが点ｓで当接するべきなのであるが、実線で示すように、固定用ネジ（５８）の先端と直径が１２ｍｍの芯棒（図示せず）とが点ｐで当接し、芯棒挿通穴（５４）の内側と直径が１２ｍｍの芯棒（４１ａ）とが点ｑで当接するように偏った状態で固定することもできてしまう。
【０００８】
このように偏った状態で芯棒を固定した壁紙保持用リールが壁紙糊付機に装着され、糊付け実行中に回転すると固定が外れる。固定が外れた場合には、側板は壁紙原反の端面より外側へ移動し、壁紙原反の位置がずれ、壁紙が斜めに搬送され、シワが生じたり破れる場合がある。
このような背景から、直径が２２ｍｍの芯棒から直径が１２ｍｍの芯棒までに挿通でき、芯棒に固定できる１種類の側板を用いて、直径の異なる複数の芯棒を使用する壁紙保持用リールが要望されている。
【課題を解決するための手段】
【０００９】
壁紙原反に挿通する芯棒と、芯棒を挿通するための芯棒挿通穴が設けられた側板と固定用ネジで構成され、芯棒を挿通させた壁紙原反の左右端を挟み込んだ側板を、固定用ネジを締め込むことにより芯棒に固定し、壁紙糊付機に装着される壁紙保持用リールであって、
芯棒挿通穴に挿通された芯棒を芯棒挿通穴に２点で当接させることにより、直径の異なる芯棒に側板を固定して使用することを特徴とする壁紙保持用リール。
【００１０】
壁紙原反に挿通する芯棒と、芯棒を挿通するための芯棒挿通穴が設けられた側板と固定用ネジで構成され、芯棒を挿通させた壁紙原反の左右端を挟み込んだ側板を、固定用ネジを締め込むことにより芯棒に固定し、壁紙糊付機に装着される壁紙保持用リールであって、
芯棒挿通穴の内側に突出するアームを設け、
芯棒挿通穴に挿通された芯棒をアームに当接させることにより、直径の異なる芯棒に側板を固定して使用することを特徴とする壁紙保持用リール。
【発明の効果】
【００１１】
壁紙原反に挿通する芯棒と、芯棒を挿通するための芯棒挿通穴が設けられた側板と固定用ネジで構成され、芯棒を挿通させた壁紙原反の左右端を挟み込んだ側板を、固定用ネジを締め込むことにより芯棒に固定し、壁紙糊付機に装着される壁紙保持用リールであって、
芯棒挿通穴に挿通された芯棒を芯棒挿通穴に２点で当接させることにより、直径の異なる芯棒に側板を固定して使用することを特徴とするので課題を解決するものである。
【００１２】
壁紙原反に挿通する芯棒と、芯棒を挿通するための芯棒挿通穴が設けられた側板と固定用ネジで構成され、芯棒を挿通させた壁紙原反の左右端を挟み込んだ側板を、固定用ネジを締め込むことにより芯棒に固定し、壁紙糊付機に装着される壁紙保持用リールであって、
芯棒挿通穴の内側に突出するアームを設け、
芯棒挿通穴に挿通された芯棒をアームに当接させることにより、直径の異なる芯棒に側板を固定して使用することを特徴とするので課題を解決するものである。
【図面の簡単な説明】
【００１３】
【図１】図１は、本発明の第１の実施形態の側板を説明するための図であり、図１（a）は正面図であり、図１（b）は断面図である。
【図２】図２は、本発明の第１の実施形態の側板に、直径が１２ｍｍの芯棒を挿通させて固定した状態を説明するための図である。
【図３】図３は、本発明の第１の実施形態の側板に、直径が２２ｍｍの芯棒を挿通させて固定した状態を説明するための図である。
【図４】図４は、本発明の第２の実施形態の側板を説明するための図であり、図４（a）は正面図であり、図４（b）は断面図である。
【図５】図５は、本発明の第２の実施形態の側板に、直径が１２ｍｍの芯棒を挿通させて固定した状態を説明するための図である。
【図６】図６は、従来技術の側板を説明するための図であり、図１（a）は正面図であり、図１（b）は断面図である。
【図７】図７は、従来技術の側板に、直径が１２ｍｍの芯棒を挿通させて固定した状態を説明するための図である。
【発明を実施するための最良の形態】
【００１４】
図１と図２と図３に、壁紙糊付機で使用される本発明の第１の実施形態の壁紙保持用リールを説明する。図２と図３は芯棒と芯棒を挿通する穴のところの拡大図である。
壁紙の原反の巻芯に挿通する芯棒（４１）と、側板（１）で構成され、側板（１）は樹脂を射出成型して作ったもので、対向する２つの円弧（２）、および対向する２つの平行な線（３）で囲まれた形状を有し、中心部に直径が２２ｍｍの芯棒（４１）を挿通する芯棒挿通穴（４）を有する環状厚肉部（５）が設けられ、環状厚肉部（５）より周縁に向かって放射状に補強用の線状突出部（６）が形成されている。
【００１５】
環状厚肉部（５）には、固定用ネジ（７）を締め込んで側板（１）を芯棒（４１）に固定するための固定用ネジ穴（８）が形成されており、固定用ネジ（７）の挿入を容易にするために、固定用ネジ穴（８）の近傍の線状突出部（６）は除去されている。
【００１６】
図２に、側板（１）に直径が１２ｍｍの芯棒（４１ａ）を挿通させ、固定用ネジ（７）を締め込んで固定した状態を示す。
固定用ネジ（７）の先端と直径が１２ｍｍの芯棒（４１ａ）が点ａで当接し、直径が１２ｍｍの芯棒（４１ａ）と芯棒挿通穴（４）は点ｂと点ｃの２点で当接し、直径が１２ｍｍの芯棒（４１ａ）と芯棒挿通穴（４）には隙間（９ａ）が生じている。
また、点ａと点ｂと点ｃの位置関係は三角形であり、詳しくは、点ａを頂点とし、点ａと点ｂを結ぶ線、および点ａと点ｃを結ぶ線を斜辺とする二等辺三角形となっている。
また、点ｂにおける接線と、点ｃにおける接線は１００度で交差する位置関係となっている。
この位置関係で、固定用ネジ（７）を締め込むことにより、点ａに生じている力の反力が点ｂと点ｃに均等に分散した状態で保持されるので、壁紙糊付機に装着されて回転する壁紙保持用リールの側板（１）の固定が外れるとはないので、側板（１）は直径が１２ｍｍの芯棒（４１ａ）に対し、回転方向にも、左右幅方向にもずれることはない。
【００１７】
図３に、側板（１）を直径が２２ｍｍの芯棒（４１）に挿通させ、固定用ネジ（７）を締め込んで固定した場合を示す。
固定用ネジ（７）の先端と直径が２２ｍｍの芯棒（４１）に点ｄで当接し、 直径が２２ｍｍの芯棒（４１）と芯棒挿通穴（４）が点ｅと点ｆで当接し、直径が１２ｍｍの芯棒（４１）と芯棒挿通穴（４）には隙間（９）が生じている。
また、点ｄと点ｅと点ｆの位置関係は三角形であり、詳しくは、点ｄを頂点とし、点ｄと点ｅを結ぶ線、および点ｄと点ｆを結ぶ線を斜辺とする二等辺三角形となっている。
また、点ｅにおける接線と、点ｆにおける接線は１００度で交差する位置関係となっている。
この位置関係で、固定用ネジ（７）を締め込むことにより、点ｄに生じている力の反力が点ｅと点ｆに均等に分散した状態で保持されるので、壁紙糊付機に装着されて回転する壁紙保持用リールの側板（１）の固定が、直径が２２ｍｍの芯棒（４１）から外れるとはないので、側板（１）は直径が２２ｍｍの芯棒（４１）に対し、回転方向にも、左右幅方向にもずれることはない。
以上で説明したように、側板（１）は直径が２２ｍｍから１２ｍｍまでの芯棒に挿通でき、固定できるものである。
【００１８】
図４と図５に、第２の実施形態の壁紙保持用リールを説明する。図５は芯棒と芯棒を挿通する穴のところの拡大図である。
壁紙の原反の巻芯に挿通する芯棒（４１）と、側板（２１）で構成され、側板（２１）は樹脂を射出成型して作ったもので、対向する２つの円弧（２２）、および対向する２つの平行な線（２３）で囲まれた形状を有し、中心部に芯棒（４１）を挿通する芯棒挿通穴（２４）を有する環状厚肉部（２５）が設けられ、環状厚肉部（２５）より周縁に向かって放射状に補強用の線状突出部（２６）が形成されている。
【００１９】
環状厚肉部（２５）には、固定用ネジ（２７）を締め込んで側板（２１）を芯棒（４１）に固定するための固定用ネジ穴（２８）が形成されており、固定用ネジ（２７）の挿入を容易にするために、固定用ネジ穴（２８）の近傍の線状突出部（２６）は除去されている。
【００２０】
また、図５に示すように、環状厚肉部（２５）は、アーム（２９）を挟み込んで保持するための環状厚肉部第１面（２５ａ）と環状厚肉部第２面（２５ｂ）を有しており、環状厚肉部第１面（２５ａ）からアーム取り付けネジ（３０）を、カラー（３２）とブッシュ（３３）を用いてアーム（２９）の穴（３６）に挿通させて、環状厚肉部第２面（２５ｂ）へ突きだし、ナット（３１）で取り付けられており、アーム（２９）がアーム取り付けネジ（３０）を支点に回動可能に取り付けられている。
【００２１】
また、アーム（２９）の先端には、直径が１２ｍｍの芯棒（４１ａ）の外周に沿うような円弧状の窪み（３７）が設けられている。
【００２２】
また、アーム（２９）にはプランジャー（３４）が取り付けられており、環状厚肉部第２面（２５ｂ）には、アーム（２９）の窪み（３７）が芯棒（４１ａ）に当接する位置にアーム（２９）が回動していない状態で保持するためのプランジャー受け穴（３５ｂ）と、アーム（２９）の窪み（３７）が芯棒（４１）に当接する位置にアーム（２９）が回動している状態で保持するためのプランジャー受け穴（３５ａ）が設けられており、
アーム（２９）の窪み（３７）が芯棒（４１ａ）に当接する位置にアーム（２９）が回動している状態では、窪み（３７）は、芯棒挿通穴（２４）の内部に突きだしている。
【００２３】
図５は、アーム（２９）を、アーム（２９）の先端が芯棒挿通穴（２４）の内側に突き出す位置に回動させて、プランジャー（３４）がプランジャー受け穴（３５ａ）に嵌まり込んだ位置で、直径が１２ｍｍの芯棒（４１ａ）を挿通させている状態である。
この状態では、固定用ネジ（２７）の先端と直径が１２ｍｍの芯棒（４１ａ）に点ｇで当接し、アーム（２９）の先端の窪み（３７）が直径１２ｍｍの芯棒（４１ａ）にの外周に点ｈで当接する。
この位置関係で、固定用ネジ（２７）を締め込むことにより、直径１２ｍｍの芯棒（４１ａ）は保持されるので、壁紙糊付機（図示せず）に装着されて回転する壁紙保持用リールの側板（２１）の固定が、直径１２ｍｍの芯棒（４１ａ）から外れるとはないので、側板（２１）は直径が１２ｍｍの芯棒（４１ａ）に対し、回転方向にも、左右幅方向にもずれることはない。
以上で説明したように、側板（２１）は直径が２２ｍｍから１２ｍｍまでの芯棒に挿通でき、固定できるものである。
【００２４】
直径が２２ｍｍの芯棒（４１）を挿通させる場合には、アーム（２９）を、図５の状態から１８０度回動させて、アーム（２９）が芯棒挿通穴（２４）の内側に突き出ない状態で、
プランジャー（３４）がプランジャー受け穴（３５ｂ）嵌まり込む位置で直径が２２ｍｍの芯棒（４１）を挿通させる。
【００２５】
本発明の第１の実施形態では、点ａと点ｂと点ｃが二等辺三角形、および点ｄと点ｅと点ｆが二等辺三角形となるように、芯棒挿通穴（４）の断面形状を真円から少し変形させた形状としているが、二等辺三角形ではなくても、直径が１２ｍｍの芯棒（４１ａ）、および直径が２２ｍｍの芯棒（４１）が２点で当接する隙間（９）が生じる形状であれば同様の効果は得られる。 
【００２６】
本発明の第１の実施形態の点ｂの接線と点ｃの接線が１００度で交差するようにしている理由は、１００度よりも鋭角にした場合、芯棒挿通穴（４）の断面形状が真円から大きく変形させた形状となり、環状厚肉部（５）の肉厚部が分厚く大きいものとなり、また、直径が１２ｍｍの芯棒（４１ａ）を芯棒挿通穴（４）の中心から大きくずれた位置で固定するので、壁紙保持用リールが回転した時に、側板（１）の回転の偏りが大きくなる。
一方、１００度よりも鈍角にした場合、点ｅと点ｆが近くになり外れやすくなるので、両者のバランスを考慮して１００度と定めている。
【００２７】
本発明の第１の実施形態の図２の点ｂと点ｃと、図３の点ｅと点ｆにおける直径が１２ｍｍの芯棒（４１ａ）と芯棒挿通穴（４）の当接についてであるが、本発明の側板（１）は射出成形で作っているので、成形した側板（１）を成形型から抜く際に必要な抜き勾配が付いており、厳密には、図１（ｂ）の上から下方向に直径が漸次縮小する円筒形の孔となっているので、直径が最も小さいところでの点接触となるのであるが、芯棒挿通穴（４）を削り出し加工で開ける場合は抜き勾配が付かないので円筒形の孔の高さ方向の線接触となる。
本発明の第１の実施形態の図２と図３は、点ｂと点ｃまたは、点ｅと点ｆにおいて、芯棒と芯棒挿通穴が円筒形の孔の高さ方向に線接触する場合も含むものである。
【００２８】
本発明の第２の実施形態のアーム（２９）の先端の形状を、直径が１２ｍｍの芯棒（４１ａ）の外周に沿うような円弧状の窪み（３７）としているが、Ｍ字状の形状にして２点で当接するようにする場合でも同様の効果は得られる。 
【００２９】
本発明の側板（１）は、直径が２２ｍｍから１２ｍｍまでの芯棒に挿通でき、固定できるものであるが、芯棒挿通穴（４）の形状を保ったまま、相似形で拡大すれば、直径が２２ｍｍ以上の芯棒にも対応できるものである。
【符号の説明】
【００３０】
１  側板
２  対向する２つの円弧
３  対向する２つの平行線
４  芯棒挿通穴
５  環状厚肉部
６  線状突出部
７  固定用ネジ
８  固定用ネジ穴
９  隙間
９ａ隙間
２１  側板
２２  対向する２つの円弧
２３  対向する２つの平行線
２４  芯棒挿通穴
２５  環状厚肉部
２５ａ環状厚肉部第１面
２５ｂ環状厚肉部第２面
２６  線状突出部
２７  固定用ネジ
２８  固定用ネジ穴
２９  アーム
３０  アーム取り付けネジ
３１  ナット
３２  カラー
３３  ブッシュ
３４  プランジャー
３５ａプランジャー受け穴
３５ｂプランジャー受け穴
３６  穴
３７  窪み
４１  芯棒
４１ａ直径１２ｍｍ芯棒
５１  側板
５２  対向する２つの円弧
５３  対向する２つの平行線
５４  芯棒挿通穴
５５  環状厚肉部
５６  線状突出部
５７  固定用ネジ
５８  固定用ネジ穴
【図１】
2019122938.tif 000003
【図２】
2019122938.tif 000004
【図３】
2019122938.tif 000005
【図４】
2019122938.tif 000006
【図５】
2019122938.tif 000007
【図６】
2019122938.tif 000008
【図７】
2019122938.tif 000009